(57)【特許請求の範囲】
【請求項１】
折り目線を介して周方向に連設した側板とこの側板の左右に連設された折込み片及び差込み片により内部に収容空間が形成された附属容器において、附属容器として組み立てた際、前記側板としての天面板の端部から山折り線を介して挟持部側面板が一体に連設されると共に、この挟持部側面板の端部から山折り線を介してばね側面板が該挟持部側面板の内側に対峙する形で一体に連設され、前記側板としての底面板の端部から前記挟持部側面板のばね側面板に対峙する位置に中央部側面板が一体に連設され、更にこの中央部側面板の端から山折り線を介して糊代片が一体に連設され、この糊代片が前記挟持部側面板の内面と中央部側面板との間にわずかな空隙を形成する形で前記天面板の内面に貼り付けられ、前記底面板には所定間隔置きに前記ばね側面板側に突出する舌片が一体に形成されていることを特徴とする切妻屋根型紙容器の附属容器。
【請求項２】
それぞれ折り目線を介して、それぞれ天面板と端部側面板と底面板と中央部側面板と糊代片とを順に連設すると共に、端部側面板と中央部側面板の左右に適宜形状の折込み片を、前記天面板の左右に差込み片を連設した側面板を連設した附属容器であって、前記天面板の端部から山折り線を介して、左右に折込み片を備えた挟持部側面板を一体に連設すると共に、この挟持部側面板の端部から山折り線を介して、前記中央部側面板に対峙する姿勢でばね側面板を一体に連設し、更に前記底面板と前記中央部側面板との間の折り目線上に所定間隔置きで糊代片側に突出する形状の舌片を一体に設け、前記糊代片を前記天面板の裏面にその端部よりやや前記端部側面板側に偏倚した位置に貼着し、前記挟持部側面板とこの中央部側面板との間にわずかな空隙が形成されるようにしたことを特徴とする切妻屋根型紙容器の附属容器。
【請求項３】
舌片は底面板と中央部側面板の間の山折り線からこの中央部側面板側に膨出した切り込み線によって形成される請求項２記載の切妻屋根型紙容器の附属容器。
【発明の詳細な説明】
【技術分野】
【０００１】
本発明は、牛乳、果実飲料、日本酒やワインなどの酒類、更にはサラダ油などの油脂類等の液体を収容した切妻屋根型（ゲーベルトップ型と通称する）紙容器の傾斜屋根板上に載せたり、被せたりして使用する、おまけ品やおつまみなどを収容する附属容器に関する。
【背景技術】
【０００２】
従来から、切妻屋根型紙容器の傾斜屋根板上の、傾斜部分等（デッドスペース）に位置させて用いる附属容器は、例えば、両側面が横向き直角台形の六面体や扁平五角形の七面体などの紙箱であって、切妻屋根型紙容器のトップシール部に繋止して用いるものが提案されたり、市販されている（特許文献１〜3 ）。また、このような手段以外にも、例えば、この切妻屋根型紙容器の口栓体を挿入するに足る大きさの開孔を設けた面板をこの附属容器に一体に設け、ここに口栓体を挿入係止する形式のものも提案されたり、市販されている（特許文献１）。このものは先行技術に比べてみると、繋止の確保がやや改善されるために、比較的多く採用されている技術である。
【０００３】
ところで、近年の、流通、販売市場の競争激化に伴って、おまけ品やおつまみなどを、販売商品の景品として添付する傾向が高まっている。併せて切妻屋根型紙容器との繋止がより完全であることも要求されてきている。
【０００４】
その理由は、特許文献１〜３のように附属容器を単に切妻屋根型紙容器の上部に載置するだけでは、シュリンク包装するために切妻屋根型紙容器を横倒しにする際に、附属容器が外れてしまうという問題があった。また、特許文献４のように切妻屋根型紙容器の口栓体を附属容器の開孔に挿入繋止したり、附属容器を傾斜屋根板上に貼り付けたりするのは繋止作業が大変面倒であり、作業性に問題がある。
【０００５】
この意味から、上述した切妻屋根型紙容器の傾斜屋根板上に位置させて用いる、切妻屋根型紙容器との繋止が完全でありながら、繋止の作業性も大きく向上する手段が望まれて
いる。
【発明の概要】
【発明が解決しようとする課題】
【０００６】
以上のような要求を勘案して従来の各手法を考察すると、完全な繋止という意味からは大きな問題があるが、繋止の作業性という点からは、単純に附属容器を切妻屋根型紙容器の上部に載置する手法が優れていることは言うまでもない。本発明者らはこの観点から更に検討を重ねた結果、基本的には単純に附属容器を切妻屋根型紙容器の上部に載置する手法を採用することによって、繋止の作業性をこの単純に附属容器を切妻屋根型紙容器の上部に載置する手法と何ら遜色なく改善でき、併せて繋止の確実性もうまく確保できる手法を開発したので、ここに提案する。
【０００７】
したがって、本発明は、附属容器を切妻屋根型紙容器の上部に簡単にセットできて作業性を大きく向上できる上に、一層改善された繋止強度を有し、しかも安価に提供できる切妻屋根型紙容器の附属容器を提供することを目的とする。
【課題を解決するための手段】
【０００８】
以上の技術的な課題を解決するために、本発明の請求項１記載の切妻屋根型紙容器の附属容器は、折り目線を介して周方向に連設した側板とこの側板の左右に連設されたた折込み片及び差込み片により内部に収容空間が形成された附属容器において、附属容器として組み立てた際、前記側板としての天面板の端部から山折り線を介して挟持部側面板が一体に連設されると共に、この挟持部側面板の端部から山折り線を介してばね側面板が該挟持部側面板の内側に対峙する形で一体に連設され、前記側板としての底面板の端部から前記挟持部側面板のばね側面板に対峙する位置に中央部側面板が一体に連設され、更にこの中央部側面板の端から山折り線を介して糊代片が一体に連設され、この糊代片が前記挟持部側面板の内面と中央部側面板との間にわずかな空隙を形成する形で前記天面板の内面に貼り付けられ、前記底面板には所定間隔置きに前記ばね側面板側に突出する舌片が一体に形成されたものである。
【０００９】
このように構成された附属容器は、糊付け箇所は一箇所のみで、しかも、従来のあらかじめ立体に形成されたものと違って、図７に示すように、適宜に扁平に折り畳むことができる。したがってこの折り畳み状態で出荷、運送、保管が可能となる。
また、折り畳み状態からもワンタッチで起立させて附属容器を形作り、内部収容空間内に景品やおつまみ類を収納する。この附属容器を切妻屋根型紙容器に繋止する前は、図４に示すように、前記ばね側面板はその遊端（上端）を前記中央部側面板側に偏倚させていて、隙間は奥ほど幅狭な状態になっている。この状態から、この附属容器の挟持部側面板の内面と中央部側面板との間に形成されたわずかな空隙に、切妻屋根型紙容器のトップシール部をばね側面板の弾性反発力と舌片の挿入抵抗に抗して入り込ませる。挿入されたトップシール部は、図５に示すように、ばね側面板の弾性反発力と前記底面板に設けられた舌片とに押し挟まれて、その挿入姿勢、つまりは繋止姿勢が保たれる。
【発明の効果】
【００１０】
したがって、この発明は以下の効果を奏する。
本発明の切妻屋根型紙容器の附属容器は、附属容器に設けたわずかな隙間に切妻屋根型紙容器のトップシール部を挿入して、これを附属容器に設けたばね側面板と舌片との間で挟持する構成を採用したものであるから、紙の反発力と舌片の係止力を上手く利用することで、十分な固定が可能になり、また、附属容器を切妻屋根型紙容器にセットする際の作業性も、従来の糊付けや開孔に口栓体を挿入するものと違って、大幅に改善される。また、附属容器は、従来の最初から立体に形成されるものと違って、扁平に折り畳むことができるから輸送、保管に便利であり、併せて糊付け箇所は一箇所のみであるから、附属容器
の作成作業が大変簡素化され、コスト面でも有利に提供できる。
【００１１】
特に、この本発明は、附属容器の隙間に単に切妻屋根型紙容器のトップシール部を挿入するだけであるから、繋止の作業性が格段に改善されることは言うまでもなく、挿入されたトップシール部はばね側面板の弾性反発力と前記底面板に設けられた舌片の係止力で押し挟まれて、その挿入姿勢、つまりは繋止姿勢が上手く保たれるので、一層改善された繋止強度を得ることが可能になった。併せて、従来品と違って、口栓体への開孔を設けた面板を必要としないために、紙取りも含めて余分な紙を必要とせず、一層安価に提供できる利点がある。
【００１２】
以上の構成において、本発明は図２に記載のように、附属容器の形状として六面体の容器とすることもできる（請求項２）。
切妻屋根型紙容器の傾斜屋根板上に載置するのに最も適した形状であるから、シュリンク包装の際、運搬時、更には保管時などに、一層嵩張らず、纏まりよく取り扱えるからである。
【００１３】
また、図１に記載のように、舌片を底面板と中央部側面板の間の山折り線からこの中央部側面板側に台形、四角形、更には半円形や半楕円形（図例では台形）に膨出した切り込み線によって形成されるのが望ましい（請求項３）。
舌片の起立を附属容器の起立に併せて自動的に行え、作業性の改善に寄与するからである。
【図面の簡単な説明】
【００１４】
【図１】本発明の切妻屋根型紙容器の附属容器の一実施形態を示し、附属容器のブランクの平面図である。
【図２】図１に示されたブランクから得られた附属容器の天面板側から見た斜視図である。
【図３】図１に示されたブランクから得られた附属容器の底面板側から見た斜視図である。
【図４】図１に示されたブランクから得られた附属容器を要部の一部切欠き拡大断面図を示し、併せて切妻屋根型紙容器に繋止する作用の説明図である。
【図５】切妻屋根型紙容器にトップシール部に繋止する作用の説明図である。
【図６】附属容器を切妻屋根型紙容器にトップシール部に繋止した時の一部切り欠き外観図である。
【図７】附属容器の折畳み状態を底面板側から示した底面図である。
【発明を実施するための形態】
【実施例１】
【００１５】
以下、この発明の切妻屋根型（ゲーベルトップ型）紙容器の附属容器を、日本酒を収容する切妻屋根型紙容器に適用した場合の実施の形態について、図面に従って詳細に説明する。
図１は、本発明の実施例１における、切妻屋根型紙容器の附属容器１のブランクの平面図である。
すなわち、それぞれ折り目線（山折り線）２を介して、それぞれ横長長方形の天面板３と端部側面板４と底面板５と中央部側面板６と糊代片７とが順に連設され、端部側面板４と中央部側面板６との左右に折込み片８が連設される。また、天面板３の左右には差込み片９を連設した横向き直角台形の側面板１０が連設されている。更に、天面板３の端部には折り目線（山折り線）１１を介して挟持部側面板１２が連設され、更にこの挟持部側面板１２の端部に折り目線（山折り線）１３を介してばね側面板１４が連設されている。また、この挟持部側面板１２の左右には折込み片１５が連設されている。
前記端部側面板４の底面板５側に偏倚した位置には横の折り目線Ａが左右の折込み片８にまでわたって設けられている。
【００１６】
このようなブランクを、図２に示すような附属容器にするには、先ず、図４に示すように、前記糊代片７を天面板３の裏面で挟持部側面板１２側との折り目線１１側に偏倚させた位置に貼着する。この貼着位置は、附属容器Ｐが組み上がった際に、前記中央部側面板６と挟持部側面板１２との間にわずかな隙間１６が形成されるに足る位置である。具体的には、天面板３と挟持部側面板１２との前記折り目線１１と中央部側面板６と糊代片７の折り目線２との間隔が概略３ｍｍ程度である。必要に応じて、小振りの切妻屋根型紙容器に対応させて、１．５ｍｍ程度でも良い。この隙間１６の幅はトップシール部Ｔの肉厚を収容するに足る幅（やや広め）であることが必要であり、その大きさに合わせて適宜に設定される。許容誤差は０．５〜１ｍｍである。更に、この隙間１６の深さは、言うまでもなく、基本的にはトップシール部Ｔの上下寸法とほぼ同等もしくはやや長く形成されるのが望ましい。必然的に、少なくとも前記中央部側面板６と挟持部側面板１２との上下寸法がトップシール部Ｔの上下寸法と同等もしくはやや長めに形成される。ばね側面板１４は隙間１６内に折込まれるために、その上下寸法はこの隙間１６の上下寸法よりはやや短めに寸法設定されている。
【００１７】
また、前記底面板５と中央部側面板６との間の折り目線２上には、左右適宜の間隔を開けて、複数個の舌片１７が設けられている。図例では中央に一つと左右に一つずつの都合三つが設けられている。この舌片１７は、基部を前記折り目線に連ならせ、突出端を中央部側面板６側に膨出させた台形状を描く切り込み線１８によって形成される。突出寸法は前記隙間１６とほぼ同等の３ｍｍである。この舌片１７の突出寸法も隙間１６の幅に応じて適宜に設定される。舌片１７の形状は、図示される台形状の他、四角形、半円形或いは半楕円形であっても良い。
【００１８】
図１に示されるブランクには、２７０ｇ／ｍ2 のコートボール紙が採用され、通常の打抜型を用いた打ち抜き工程で、縦、横、高さが４２ｍｍ、８４ｍｍ、３８ｍｍの、清酒用の切妻屋根型紙容器の附属容器が得られる寸法設定がなされている。
【００１９】
このようにして得られた附属容器１は、運搬、収納保管時には、図７に示すように、扁平に折り畳んでおく。つまり、天面板３と端部側面板４の裏側に底面板５と中央部側面板６が重合する形で折り畳まれる。組み上げるには、端部側面板４を指先で持ち上げたりしてこれを立ち上げれば、直ちに左右が開放された長方体となる。次いで、ばね側面板１４と挟持部側面板１２とをばね側面板１４が挟持部側面板１２の内側に位置するようにして折り目線１１、１２を介して折込む。また、左右いずれかのそれぞれの折り込み片８、１５並びに差込み片９も折り込む。次いで、対応する側の横向き直角台形の側面板１０を折り込んで、この長方体空間の一方を閉止し、内部におつまみ（図外）を収容する。次いで他方のそれぞれの折り込み片８、１５並びに差込み片９も折り込み、更に他方の側の横向き直角台形の側面板１０を折り込んで、この長方体空間の他方も閉止することで、図２、３に示す内容物を収容した附属容器１が得られる。
【００２０】
組み上がった時の前記ばね側面板１４と舌片１７とを見てみると、図４に示すように、先ずばね側面板１４は前記隙間１６内にあって、遊端１４Ａを前記中央部側面板６側に偏倚させた傾斜姿勢に保たれている。また、舌片１７は、図３、４に示すように、中央部側面板６から起立して、遊端１７Ａを前記ばね側面板１４と挟持部側面板１２との境目辺りに向けて突出された姿勢に保たれる。
【００２１】
次に、この附属容器１を切妻屋根型紙容器Ｐのトップシール部Ｔに繋止するには、図５に示すように、附属容器１の前記隙間１６にトップシール部Ｔを挿入する。トップシール
部Ｔがこの隙間１６内に侵入するに従って、その遊端部ＴＡはばね側面板１４をその弾性反発力に抗してこれを挟持部側面板１２側へ押しやり、同時に舌片１７の遊端１７Ａ側を隙間１６内へ押し込むようにして順次挿入される。所定の位置まで挿入されることによって、附属容器１のトップシール部Ｔへの繋止が完了する（図６参照）。このとき、トップシール部Ｔは前記ばね側面板１４と舌片１７の弾性反発力によって挟持されることになるので、附属容器の繋止力が確保される。併せて舌片１７の引っ掛かり力によってもトップシール部Ｔからの附属容器１の離脱が上手く阻止されることになる。
【００２２】
このように、本発明による附属容器１は、第一に、糊代片７を天面板３の裏面に貼着して、つまり一箇所だけを接着固定して筒体を扁平状態に形成するために、附属容器１をワンタッチで起立でき、後は前記横向き直角台形の側面板１０で閉蓋することによって附属容器１を得ることができる。したがって、附属容器の組み立て、また、おつまみや景品などの収容作業も簡便で、作業性が大きく向上する。第二に、単にトップシール部Ｔを附属容器１に設けられた隙間１６に挿入するだけの簡単な動作によって、これを繋止できる。したがって、セットする際の作業性が改善されることは言うまでもなく、ばね側面板１４と舌片１７から得られる紙の反発力だけでトップシール部Ｔを挟持することで、繋止力は十分に確保できるために、的確な繋止が可能となる。更に、第三に、従来のような開孔を備えた大きなフラップを全く必要としないので、紙取りも含めて余分な紙を必要とせず、したがって、コスト面でもより安価に提供できる。
【００２３】
なお、本発明では、便宜上、附属容器１を両側面が横向き直角台形の六面体の紙箱を例示したまでで、本発明の所期の目的を達成できるものであれば必ずしもこの形状に囚われることはない。例えば、図示しないが、図１に示される天面板３、端部側面板４、更に底面板５の間の折り目線２を設けずに、これら天面板３、端部側面板４、底面板５によって収容空間がほぼ円形筒状、あるいはほぼ楕円筒状にすることもできる。この場合、図１に示される横向き直角台形の側面板１０はほぼ円盤状や楕円形の形状になることも言うまでもない。
【００２４】
したがって、図１〜３に示す前記天面板３、端部側面板４、更に底面板５に相当する部位が請求項１に言う側板に該当することになる。
【００２５】
以上の実施例の切妻屋根型紙容器の附属容器においては、図示するように、附属容器１の高さ（３８ｍｍ）を、切妻屋根型紙容器Ｐのトップシール部Ｔの高さ範囲内に抑えたものを示したもので、切妻屋根型紙容器Ｐ上の傾斜屋根の不要な空間（デッドスペース）に位置させて繋止したために、切妻屋根型紙容器Ｐの現在の梱包用段ポール箱の寸法変更が不要なものである。しかし、附属容器１の高さは、必要に応じて適宜に選定されるものであるので、図１〜５に示された構造に限定されない。
【符号の説明】
【００２６】
１…附属容器
２…折り目線
３…天面板
４…端部側面板
５…底面板
６…中央部側面板
７…糊代片
８、１５…折込み片
９…差込み片
１０…側面板
１１…折り目線
１２…挟持部側面板
１３…折り目線
１４…ばね側面板
１４Ａ…遊端
１６…隙間
１７…舌片
１７Ａ…遊端
１８…切り込み線
【先行技術文献】
【特許文献】
【００２７】
【特許文献１】実公昭５９−４３２１５号公報
【特許文献２】実公昭５９−４３２１６号公報
【特許文献３】実開昭５５−６９０３１号公報
【特許文献４】実開平０６−７２８２５号公報
【図１】
0005472714.tif 000002
【図２】
0005472714.tif 000003
【図３】
0005472714.tif 000004
【図４】
0005472714.tif 000005
【図５】
0005472714.tif 000006
【図６】
0005472714.tif 000007
【図７】
0005472714.tif 000008